(57)【要約】【課題】室外温度の検出の精度を向上させることができる空気調和機の室外機および空気調和機を提供する。【解決手段】空気調和機の室外機３は、サーミスタと吸湿ロータと加湿ユニット吹出し口４７ｂとを備える。サーミスタは、室外の空気の温度を検出する。吸湿ロータは、空気中の水分を取り込む。加湿ユニット吹出し口４７ｂは、吸湿ロータにより水分を取り込まれた後の乾燥空気が吹き出す。そして、加湿ユニット吹出し口４７ｂは、サーミスタの近傍へ乾燥空気が吹き込まないように配置される。【選択図】　　　図３
2004053198.tif 000002
【特許請求の範囲】
【請求項１】
室外の空気の温度を検出する室外温度検出部（５１）と、
空気中の水分を取り込む吸湿材（５８）と、
前記吸湿材（５８）により水分を取り込まれた後の乾燥空気が吹き出す吹出し口（４７ｂ）と、
を備え、
前記吹出し口（４７ｂ）は、前記室外温度検出部（５１）の近傍へ前記乾燥空気が吹き込まないように配置される、
空気調和機（１）の室外機（３）。
【請求項２】
空気との間で熱交換を行う熱交換器（２４）をさらに備え、
前記室外温度検出部（５１）は、前記熱交換器（２４）の空気の流れの上流側に設けられ、
前記吹出し口（４７ｂ）は、前記熱交換器（２４）の空気の流れの下流側に設けられている、
請求項１に記載の空気調和機（１）の室外機（３）。
【請求項３】
前記熱交換器（２４）を通った空気の吹出し方向に位置する前面パネル（４２）を含む室外機ケーシング（４０）をさらに備え、
前記吹出し口（４７ｂ）は前記前面パネル（４２）に設けられている、
請求項１に記載の空気調和機（１）の室外機（３）。
【請求項４】
室外の空気を取り入れて吹き出すためのファン（２９）と、
前記室外温度検出部（５１）と接続され、空調運転の制御を行う電装品ユニット（５３）と、
前記ファン（２９）による空気の吹出し方向（Ａ２）に対して概ね平行な２つの側面パネル（４３，４４）を含む室外機ケーシング（４０）と、
をさらに備え、
前記吹出し口（４７ｂ）は前記電装品ユニット（５３）に対して遠い方の前記側面パネル（４４）に設けられている、
請求項１に記載の空気調和機（１）の室外機（３）。
【請求項５】
前記吸湿材（５８）によって取り込まれた水分を放出させるためのヒータ（６６）をさらに備える、
請求項１から４のいずれかに記載の空気調和機（１）の室外機（３）。
【請求項６】
請求項１から５のいずれかに記載の室外機（３）を備える空気調和機（１）。
【発明の詳細な説明】
【０００１】
【発明の属する技術分野】
本発明は、空気調和機の室外機および空気調和機に関する。
【０００２】
【従来の技術】
最近、エアコン等の空気調和機において、室外空気から水分を取り込み室内に水分を搬送する加湿ユニットを室外機に備えたものが登場してきている。
このような空気調和機の室外機には、特開２００２−８９９０３号公報に開示されている空気調和機の室外機のように、送風機によって室内へと送る空気をゼオライト等から成る吸湿ロータを用いて加湿するものがある。この空気調和機の室外機は、室外の空気を吸気して空気中の水分を吸湿ロータに吸着させ、水分が吸着された後の乾燥空気を室外機の後方へ向けて排気している。それとともに、この室外機は、ヒータを用いて吸湿ロータから水分を脱着させ、その脱着させた水分を室内に送る空気に加えることで、室内へと送られる空気を加湿している。
【０００３】
【発明が解決しようとする課題】
ところで、空気調和機の室外機には、空調運転の制御等のために室外の温度を検出する室外温度検出部を備えるものがある。しかしながら、上記の加湿ユニットを備える室外機においては、室外温度検出部が、乾燥空気の温度の影響を受けて正確に室外の温度を検出することができない恐れがある。例えば、室外温度検出部は、室外機の構造上の理由等から室外機の背面側に設けられることが多いが、この場合に、乾燥空気が室外機の後方へ向けて排気されると、乾燥空気が室外温度検出部の近傍に流れやすくなる。そして、乾燥空気の温度が室外の温度と異なる場合には、室外温度検出部が、乾燥空気の温度の影響を受けてしまい、精度よく室外温度を検出することが困難となる。
【０００４】
本発明の課題は、室外温度の検出の精度を向上させることができる空気調和機の室外機および空気調和機を提供することにある。
【０００５】
【課題を解決するための手段】
請求項１に記載の空気調和機の室外機は、室外温度検出部と吸湿材と吹出し口とを備える。室外温度検出部は、室外の空気の温度を検出する。吸湿材は、空気中の水分を取り込む。吹出し口は、吸湿材により水分を取り込まれた後の乾燥空気が吹き出す。そして、吹出し口は、室外温度検出部の近傍へ乾燥空気が吹き込まないように配置される。
この空気調和機の室外機では、吸湿材により水分を取り込まれた後の乾燥空気が室外温度検出部の近傍へ吹き込まないように吹出し口が配置される。従って、この空気調和機の室外機では、乾燥空気が室外温度検出部の近傍に吹き込む恐れが少ない。このため、この空気調和機の室外機によれば、乾燥空気の温度が室外温度と異なる場合に室外温度検出部が受ける乾燥空気の温度の影響を低減することができる。これにより、この空気調和機の室外機では、室外温度の検出の精度を向上させることができる。
【０００６】
請求項２に記載の空気調和機の室外機は、請求項１に記載の空気調和機の室外機であって、空気との間で熱交換を行う熱交換器をさらに備える。そして、室外温度検出部は、熱交換器の空気の流れの上流側に設けられ、吹出し口は、熱交換器の空気の流れの下流側に設けられている。
空気調和機の室外機においては、室外の温度を正確に検出するために室外温度検出部を熱交換器の空気の流れの上流側に設けることが多い。これは、熱交換器の空気の流れの下流側では空気の温度が熱交換によって変化しているのに対して、熱交換器の空気の流れの上流側では空気はまだ熱交換器を通っていないので空気の温度があまり変化していないからである。
【０００７】
この空気調和機の室外機では、室外温度検出部は、熱交換器の空気の流れの上流側に設けられ、吹出し口は、熱交換器の空気の流れの下流側に設けられている。このため、室外温度検出部は、熱交換前の空気の温度を検出することができるとともに吹出し口から吹き出す乾燥空気の温度の影響を受けることも少ない。これにより、この空気調和機の室外機では、室外温度検出部の温度検出の精度を向上させることができる。
請求項３に記載の空気調和機の室外機は、請求項１に記載の空気調和機の室外機であって、熱交換器を通った空気の吹出し方向に位置する前面パネルを含む室外機ケーシングをさらに備える。そして、吹出し口は前面パネルに設けられている。
【０００８】
この空気調和機の室外機では、乾燥空気が吹き出す吹出し口が前面パネルに設けられている。前面パネルが熱交換器を通った空気の吹出し方向に位置しているため、乾燥空気は、熱交換器を通った空気の吹出し方向へ吹き出す。そして、吹出し口は、吸湿材により水分を取り込まれた後の乾燥空気が室外温度検出部の近傍へ吹き込まないように配置される。従って、この空気調和機の室外機では、乾燥空気が室外温度検出部に吹き込む恐れが少ない。このため、この空気調和機の室外機によれば、乾燥空気の温度が室外温度と異なる場合に室外温度検出部が受ける乾燥空気の温度の影響を低減することができる。これにより、この空気調和機の室外機では、室外温度検出の温度検出の精度を向上させることができる。
【０００９】
請求項４に記載の空気調和機の室外機は、請求項１に記載の空気調和機の室外機であって、ファンと電装品ユニットと室外機ケーシングとをさらに備える。ファンは、室外の空気を取り入れて吹き出すためのものである。電装品ユニットは、室外温度検出部と接続され、空調運転の制御を行う。室外機ケーシングは、ファンによる空気の吹出し方向に対して概ね平行な２つの側面パネルを含む。そして、吹出し口は電装品ユニットに対して遠い方の側面パネルに設けられている。室外温度検出部は、検出した温度情報を空調運転の制御を行う電装品ユニットへと伝えるために、電装品ユニットと接続される。この場合、電装品ユニットと室外温度検出部とを繋ぐ配線をできる限り短くするために、室外温度検出部は電装品ユニットの近くに設けられることが多い。
【００１０】
この空気調和機の室外機では、吹出し口が、電装品ユニットに対して遠い方の側面パネルに設けられている。このため、この空気調和機の室外機では、電装品ユニットの近くに設けられている室外温度検出部の近傍に乾燥空気が流れていく恐れが少ない。これにより、この空気調和機の室外機では、室外温度検出部が電装品ユニットの近くに設けられている場合に、室外温度検出部の温度検出の精度を向上させることができる。
請求項５に記載の空気調和機の室外機は、請求項１から４のいずれかに記載の空気調和機の室外機であって、吸湿材によって取り込まれた水分を放出させるためのヒータをさらに備える。
【００１１】
この空気調和機では、ヒータの熱の影響により乾燥空気の温度が室外の空気の温度よりも高くなるが、吹出し口が室外温度検出部の近傍へ乾燥空気が吹き込まないように配置されるため、室外温度検出部が、乾燥空気の温度の影響を受けて実際の室外の温度よりも高い温度を検出する恐れを低減することができる。これにより、この空気調和機の室外機によれば、室外温度検出部の温度検出の精度を向上させることができる。
請求項６に記載の空気調和機は、請求項１から５のいずれかに記載の室外機を備える。
【００１２】
この空気調和機では、吸湿材により水分を取り込まれた後の乾燥空気が室外温度検出部の近傍へ吹き込まないように吹出し口が室外機に配置される。従って、乾燥空気が室外温度検出部に吹き込む恐れが少ない。このため、この空気調和機によれば、乾燥空気の温度が室外温度と異なる場合に室外温度検出部が受ける乾燥空気の温度の影響を低減することができる。これにより、この空気調和機では、室外温度検出部の温度検出の精度を向上させることができる。
【００１３】
【発明の実施の形態】
＜空気調和装置の概略構成＞
本発明の一実施形態に係る空気調和装置の外観を、図１に示す。
この空気調和装置１は、室内の壁面などに取り付けられる室内機２と、室外に設置される室外機３とから構成されている。室外機３は、室外熱交換器や室外ファンなどを収納する室外空調ユニット５および加湿ユニット４とを備えている。室内機２内には室内熱交換器が収納され、室外機３内には室外熱交換器が収納されている。そして、各熱交換器およびこれらの熱交換器を接続する冷媒配管６が、冷媒回路を構成している。また、加湿ユニット４と室内機２との間には、加湿ユニット４からの除湿空気又は加湿空気を室内機２側に供給するときに用いられる給気管７が設けられている。
【００１４】
＜冷媒回路の構成＞
図２は、空気調和装置１で用いられる冷媒回路の系統図に空気の流れの概略を付加したものである。
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹出させる。
【００１５】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して配管３２に接続されており、この配管３２を介して室内熱交換器１１の一端と接続される。また、四路切換弁２２は、ガス閉鎖弁２８を介して配管３１に接続されており、この配管３１を介して室内熱交換器１１の他端と接続されている。これらの配管３１，３２は、図１の冷媒配管６に相当する。
【００１６】
また、室外空調ユニット５内には、室外熱交換器２４での熱交換後の空気を外部に排出するためのプロペラファン２９が設けられている。このプロペラファン２９は、室外ファンモータ３０によって回転駆動される。
＜室外機の構成＞
室外機３は、図３に示すように、下部の室外空調ユニット５および上部の加湿ユニット４が一体となって構成されており、室外機ケーシング４０を備えている。室外機ケーシング４０は、底板４１、前面パネル４２、側面パネル４３，４４、天板４５、保護金網４６により構成されている。また、室外機ケーシング４０は、下部の室外空調ユニットケーシング４０ａと上部の加湿ユニットケーシング４０ｂとに分けられる。
【００１７】
底板４１は、室外機３の底部を覆う板状の部材である（図４参照）。
前面パネル４２は、室外機３の前面を覆う部材であり、後述する加湿ユニットケーシング４０ｂの前面部分と室外空調ユニットケーシング４０ａの前板４２ａとにより構成される（図３参照）。前板４２ａは、室外空調ユニット５の前面を覆う部材であり、後述する熱交換器２４に対して熱交換器２４を通った空気の下流側に配置されている。前板４２ａには、複数のスリット状の開口からなる室外空調ユニット吹出し口４７ａが設けられており、熱交換器２４を通った空気は、室外空調ユニット５の内部からこの室外空調ユニット吹出し口４７ａを通って外部へと吹き出す。
【００１８】
側面パネル４３，４４は、室外機３の側面を覆う部材であり、右側面パネル４３および左側面パネル４４により構成されている。各側面パネル４３，４４は、熱交換器２４を通って室外空調ユニット吹出し口４７ａから吹き出す空気の吹出し方向に対して概ね平行に設けられている。右側面パネル４３は、右側板４３ａおよび加湿ユニットケーシング４０ｂの右側の側面部分により構成されている。左側面パネル４４は、左側板４４ａ（図４参照）および加湿ユニットケーシング４０ｂの左側の側面部分により構成されている。右側板４３ａおよび左側板４４ａは、室外空調ユニット５の側方を覆う板状の部材であり、正面視において、右側に右側板４３ａ、左側に左側板４４ａが設けられている。また、右側板４３ａには、液閉鎖弁２７およびガス閉鎖弁２８を保護するための閉鎖弁カバー５２が取り付けられる。
【００１９】
天板４５は、室外機３の上部を覆う板状の部材である。
保護金網４６は、室外空調ユニット５の背面を覆っており、熱交換器２４の後方に配置されている（図４参照）。
加湿ユニットケーシング４０ｂは、加湿ユニット４の前方、後方および両側方を覆っており、室外空調ユニット５の上部に配置される。加湿ユニットケーシング４０ｂの前面には、複数のスリット状の開口からなる加湿ユニット吹出し口４７ｂが設けられており、後述する乾燥空気がこの加湿ユニット吹出し口４７ｂを通って室外機３の外部へと吹き出す。
【００２０】
上記の様に、前板４２ａと加湿ユニットケーシング４０ｂの前面部分とにより構成される前面パネル４２には、上部に加湿ユニット吹出し口４７ｂが、下部に室外空調ユニット吹出し口４７ａが設けられている。
〔室外空調ユニットに係る構成〕
次に、室外空調ユニット５の内部の構成について、図４に示す分解斜視図を用いて説明する。
前板４２ａの後方には、ファン吹出口４８と仕切板４９とが取り付けられる。また、保護金網４６の前面には、平面視において略Ｌ字形状である室外熱交換器２４が取り付けられる。
【００２１】
室外熱交換器２４の前面には、室外ファンモータ３０を固定するためのファンモータ台５０が取り付けられている。室外ファンモータ３０は、プロペラファン２９を回転させるために設けられている。プロペラファン２９は、導入した空気を室外熱交換器２４と接触させ室外空調ユニット吹出し口４７ａから前板４２ａの前方に排気する役割を果たす（図５の白抜き矢印Ａ１，Ａ２参照）。
仕切板４９と右側板４３ａとの間には、アキュムレータ２３、圧縮機２１、四路切換弁２２、電動弁２５、液閉鎖弁２７、ガス閉鎖弁２８などの冷媒回路構成部品、室外空気の温度を検出するサーミスタ５１を含む複数の温度検出センサなどが配置されている。
【００２２】
プロペラファン２９の上方には、電装品ユニット５３が取り付けられる、この電装品ユニット５３は、電装品箱５３ａと各部を制御するための回路部品を搭載したプリント基板５４とにより構成されている。プリント基板５４には、所定の回路部品で生じた熱を放熱するための放熱フィン５５が取り付けられている。また、プリント基板５４にはサーミスタ５１がハーネスを介して接続されており、サーミスタ５１が検出した室外の温度の情報がプリント基板５４の回路部品へと送られる。
【００２３】
アキュムレータ２３、圧縮機２１、熱交換器２４、電装品ユニット５３およびサーミスタ５１の配置を図５に示す。ここで、図５は、室外空調ユニット５の内部を室外機３の上方から見た上面図である。
熱交換器２４は、室外機ケーシング４０の後面に位置する保護金網４６に隣接して保護金網４６の前方に配置されている。圧縮機２１は、熱交換器２４と前板４２ａとの間に配置されている。アキュムレータ２３は、圧縮機２１よりも室外機ケーシング４０の背面側に位置しており、熱交換器２４の前方に配置されている。電装品ユニット５３は、前後方向では熱交換器２４と前板４２ａとの間に亘って、左右方向では室外機ケーシング４０の中央付近と右側板４３ａとの間に亘って設けられている。サーミスタ５１は、熱交換器２４と保護金網４６との間に設けられており、熱交換器２４を通る空気の上流側に熱交換器２４に隣接して設けられている。従って、サーミスタ５１は、熱交換器２４を通る前の空気の温度を検出することができる。また、サーミスタ５１は、左右方向では、室外機ケーシング４０の中央よりも右側板４３ａ側に電装品ユニット５３に近接するように設けられている。従って、サーミスタ５１と電装品ユニット５３の中のプリント基板５４との距離が短くなっており、サーミスタ５１とプリント基板５４とを繋ぐハーネスを短くすることが可能となっている。なお、図中の白抜き矢印Ａ１は、室外機３の後方から室外機３内に吸込まれる空気の流れを表し、白抜き矢印Ａ２は、室外機３内から室内機３の前方へと吹き出す空気の流れを表している。
【００２４】
〔加湿ユニットに係る構成〕
次に加湿ユニット４の内部の構成について図４に基づいて説明する。
加湿ユニット４は、室外機３の上部に位置する加湿ユニットケーシング４０ｂを備えている。加湿ユニットケーシング４０ｂ内は、右側が吸湿ロータ５８等を収容する空間、左側が吸着用ファン８１等を収容する吸着用ファン収納空間７５となっている。この加湿ユニットケーシング４０ｂ内には、吸湿ロータ５８、ヒータ組立体６４、加湿ファン７０、カバー部材７４、吸着用ファン８１などが配置されている。
【００２５】
吸湿ロータ５８は、概ね円板形状を有するハニカム構造のセラミックロータであり、空気が容易に通過できる構造となっている。具体的には、図４に示すような、平面視において円形を有するロータであり、水平面で切った断面において細かいハニカム（蜂の巣）状になっている。そして、これらの断面が多角形である吸湿ロータ５８の多数の筒部分を、空気が通過する。
吸湿ロータ５８の主たる部分は、ゼオライト、シリカゲル、あるいはアルミナといった吸着剤から焼成されている。このゼオライト等の吸着剤は、接触する空気中の水分を吸着し、加熱されることによって吸着した水分を脱着する性質を有している。
【００２６】
この吸湿ロータ５８は、加湿ユニットケーシング４０ｂ側に設けられた支持軸５９に、ロータガイド６０を介して回動可能に支持される。吸湿ロータ５８の周面には、ギヤが形成されており、ロータ駆動モータ６１の駆動軸に取り付けられるロータ駆動ギヤ６２と歯合している。
ヒータ組立体６４は、吸湿ロータ５８の上面の略半分（右側の半分）を覆うように配置されている。ヒータ組立体６４は、ヒータ本体６６と、ヒータ本体６６をカバーする上部カバー６５と、下部カバー６９とから構成されている。下部カバー６９には、空気を吸入するための吸入口６７と、ヒータ本体６６で加熱された空気を吸湿ロータ５８側へ排出するための排出口６８とが形成されている。このヒータ組立体６４は、ヒータ固定板６３を介して吸湿ロータ５８の上方に取り付けられる。
【００２７】
加湿ファン７０は、吸湿ロータ５８の下方であってヒータ組立体６４に対応する位置に配置されている。加湿ファン７０は、加湿ホース７３に連なる空間（ヒータ組立体６４の下部カバー６９の排出口６８の下方の空間）に配置される遠心ファンである。加湿ファン７０は、吸湿ロータ５８を通過して吸湿ロータ５８の右側の略半分の部分のうち手前側の部分（ヒータ組立体６４の下部カバー６９の排出口６８の下方に位置する部分）から降りてきた空気を、加湿ホース７３へと送り出す。加湿ホース７３は、加湿ファン７０から送られてきた空気を室内機２へと供給する。
【００２８】
カバー部材７４は、吸湿ロータ５８の上面のうちヒータ組立体６４が位置しない部分（左側の略半分の部分）を覆っている。このカバー部材７４は、後述する吸着用ベルマウス８４とともに、吸湿ロータ５８の左半分の部分の上面から以下に説明する吸着用ファン収納空間７５の上部へと通じる空気流路を形成する。
吸着用ファン収納空間７５に収容される吸着用ファン８１は、吸着用ファンモータ８３によって回転する遠心ファンであり、上部に配置される吸着側ベルマウス８４の開口部８５から給気して、給気した空気を吸湿ロータ５８に通す。吸着用ファン８１は、吸湿ロータ５８を通る際に水分を吸着された乾燥空気を吸着用ファン収納空間７５の外部（加湿ユニットケーシング４０ｂの外部）に向けて排気する。このとき排気される乾燥空気は、加湿ユニットケーシング４０ｂの前面に設けられた加湿ユニット吹出し口４７ｂから外部へと吹き出す。吸着側ベルマウス８４は、吸着用ファン収納空間７５の上部に設けられており、カバー部材７４によって形成される空気流路を通ってくる空気を吸着用ファン８１へと導く役割を果たす。なお、吸着用ファンモータ８３は、モータ固定台８２によって加湿ユニットケーシング４０ｂ内に固定される。
【００２９】
さらに、加湿ユニットケーシング４０ｂ内には、電源基板７９や電装品ケーシングなどが配置される。電装品ケーシングは、プリント基板７８を内部に収納する電装品箱７６および蓋７７から構成されている。
〔加湿ユニット４の動作〕
以下、加湿運転を行う場合の加湿ユニット４の動作について説明する。
加湿ユニット４は、吸着ファン８１を回転駆動することによって、外部からの空気を加湿ユニットケーシング４０ｂ内に取り入れる。加湿ユニットケーシング４０ｂ内に入ってきた空気は、吸湿ロータ５８の左側の略半分の部分を通過して、カバー部材７４および吸着側ベルマウス８４により形成される空気流路および吸着ファン８１を介して、吸着ファン収納空間７５から加湿ユニット吹出し口４７ｂを通って室外機３の前方へと排出される。加湿ユニットケーシング４０ｂ内に外部から取り入れられた空気が吸湿ロータ５８の左側の略半分の部分を通過する際に、吸湿ロータ５８は、空気中に含まれている水分を吸着する。
【００３０】
この吸着工程で水分を吸着した吸湿ロータ５８の左側の略半分の部分は、吸湿ロータ５８が回転することによって、吸湿ロータ５８の右側の略半分の部分となる。すなわち、吸着された水分は、吸湿ロータ５８の回転に伴い、ヒータ組立体６４の下方に位置する吸湿ロータ５８の部分に移動してくる。そして、ここに移動してきた水分は、ヒータ組立体６４のヒータ本体６６からの熱により、加湿ファン７０によって生成される空気流中に離脱していく。
加湿ファン７０を回転駆動すると、外部から加湿ユニットケーシング４０ｂ内に空気が取り込まれ、その空気が吸湿ロータ５８の左側の略半分の部分のうち奥の部分の下方から上方に向けて通過し、下部カバー６９の吸入口６７から上部カバー６５内に導入される。そして、上部カバー６５内に入った空気は、排出口６８から排出され、吸湿ロータ５８の左側の略半分の部分のうち手前の部分を上方から下方に通過し、加湿ファン７０へと至る。このような空気流は、加湿ファン７０が生成するものである。加湿ファン７０は、上記のように吸湿ロータ５８を通り抜けてきた空気を、加湿ホース７３および給排気管７を介して室内機２へと送出する。この室内機２へと送出される空気は、吸湿ロータ５８に吸着されていた水分を含むようになっている。
【００３１】
このようにして加湿ユニット４から室内機２に供給された空気は、室内熱交換器１１を経て室内に吹出される。
＜特徴＞
（１）従来、空気調和機では、室外温度検出用のサーミスタ５１は熱交換器２４の後方に設けられていることが多い。このようにサーミスタ５１が配置されると、サーミスタ５１は、熱交換器２４を通る空気の上流側に位置することになるため（図５の白抜き矢印Ａ１参照）、熱交換されて温度が変化する前の空気の温度を検出することができる。これにより、サーミスタ５１は室外の空気の温度を正確に検出することができる。一方、吸湿ロータ５８により水分を吸着された後の乾燥空気は、ヒータ本体６６の影響を受けて温度が上昇している場合がある。このため、この乾燥空気がサーミスタ５１の付近に流れると、サーミスタ５１が乾燥空気の温度の影響を受けて室外の温度を正確に検出することが困難となる。しかし、この空気調和機１では、乾燥空気は、加湿ユニットケーシング４０ｂの前面に設けられた加湿ユニット吹出し口４７ｂから吹き出す。従って、乾燥空気は、加湿ユニットケーシング４０ｂの内部から室外機３の前方へと吹出し、室外機３の後側に設けられたサーミスタ５１の付近には流れにくい。このため、この空気調和機１では、サーミスタ５１が乾燥空気の温度の影響を受けることが少なく、室外温度を検出する精度が向上する。
【００３２】
（２）従来、空気調和機においては、圧縮機２１の音がアキュムレータ２３を通じて熱交換器２４側に透過して、室外機３の背面側の騒音が大きくなることがある。この場合、乾燥空気の吹出し方向を室外機３の背面側にすると、騒音が乾燥空気の流れに乗ることにより背面側の騒音がいっそう大きくなる恐れがある。しかし、この空気調和機１では、乾燥空気は、加湿ユニットケーシング４０ｂの前面に設けられた加湿ユニット吹出し口４７ｂから吹き出す。従って、この空気調和機１によれば、騒音が乾燥空気の流れに乗って背面側に流れやすくなることを防止することができ、室外機３から発生する騒音の増大を最小限に抑えることができる。
【００３３】
＜他の実施形態＞
（１）上記の空気調和機１では、加湿ユニットケーシング４０ｂの前面に加湿ユニット吹出し口４７ｂが設けられているが、加湿ユニットケーシング４０ｂの左側の側面、すなわちサーミスタ５１やアキュムレータ２３から遠い方の側面にある側面パネル４４に加湿ユニット吹出し口４７ｂを設けてもよい。
（２）上記の空気調和機１では、加湿ユニット吹出し口４７ｂが加湿ユニットケーシング４０ｂに設けられているが、加湿ユニット吹出し口４７ｂを設ける位置はこれに限られるものではなく、室外空調ユニット５の前板４２ａや左側板４４ａに設けられてもよい。また、室外空調ユニット５の熱交換器２４の前方に乾燥空気を吹き出すことにより、前板４２ａの室外空調ユニット吹出し口４７ａから吹き出す熱交換後の空気と共に乾燥空気を外部に排出してもよい。
【００３４】
【発明の効果】
請求項１に記載の空気調和機の室外機では、吸湿材により水分を取り込まれた後の乾燥空気が室外温度検出部の近傍へ吹き込まないように吹出し口が配置される。従って、この空気調和機の室外機では、乾燥空気が室外温度検出部の近傍に吹き込む恐れが少ない。このため、この空気調和機の室外機によれば、乾燥空気の温度が室外温度と異なる場合に室外温度検出部が受ける乾燥空気の温度の影響を低減することができる。これにより、この空気調和機の室外機では、室外温度の検出の精度を向上させることができる。
【００３５】
請求項２に記載の空気調和機の室外機では、室外温度検出部は、熱交換器の空気の流れの上流側に設けられ、吹出し口は、熱交換器の空気の流れの下流側に設けられている。このため、室外温度検出部は、熱交換前の空気の温度を検出することができるとともに吹出し口から吹き出す乾燥空気の温度の影響を受けることも少ない。これにより、この空気調和機の室外機では、室外温度検出部の温度検出の精度を向上させることができる。
請求項３に記載の空気調和機の室外機では、乾燥空気が吹き出す吹出し口が前面パネルに設けられている。前面パネルが熱交換器を通った空気の吹出し方向に位置しているため、乾燥空気は、熱交換器を通った空気の吹出し方向へ吹き出す。そして、吹出し口は、吸湿材により水分を取り込まれた後の乾燥空気が室外温度検出部の近傍へ吹き込まないように配置される。従って、この空気調和機の室外機では、乾燥空気が室外温度検出部に吹き込む恐れが少ない。このため、この空気調和機の室外機によれば、乾燥空気の温度が室外温度と異なる場合に室外温度検出部が受ける乾燥空気の温度の影響を低減することができる。これにより、この空気調和機の室外機では、室外温度検出の温度検出の精度を向上させることができる。
【００３６】
請求項４に記載の空気調和機の室外機では、吹出し口が電装品ユニットに対して遠い方の側面パネルに設けられている。このため、この空気調和機の室外機では、電装品ユニットの近くに設けられている室外温度検出部の近傍に乾燥空気が流れていく恐れが少ない。これにより、この空気調和機の室外機では、室外温度検出部が電装品ユニットの近くに設けられている場合に、室外温度検出部の温度検出の精度を向上させることができる。
請求項５に記載の空気調和機の室外機では、ヒータの熱の影響により乾燥空気の温度が室外の空気の温度よりも高くなるが、吹出し口が室外温度検出部の近傍へ乾燥空気が吹き込まないように配置されるため、室外温度検出部が、乾燥空気の温度の影響を受けて実際の室外の温度よりも高い温度を検出する恐れを低減することができる。これにより、この空気調和機の室外機によれば、室外温度検出部の温度検出の精度を向上させることができる。
【００３７】
請求項６に記載の空気調和機では、吸湿材により水分を取り込まれた後の乾燥空気が室外温度検出部の近傍へ吹き込まないように吹出し口が室外機に配置される。従って、乾燥空気が室外温度検出部に吹き込む恐れが少ない。このため、この空気調和機によれば、乾燥空気の温度が室外温度と異なる場合に室外温度検出部が受ける乾燥空気の温度の影響を低減することができる。これにより、この空気調和機では、室外温度検出部の温度検出の精度を向上させることができる。
【図面の簡単な説明】
【図１】空気調和機の外観図。
【図２】室外機の外観図。
【図３】冷媒回路の構成図。
【図４】室外機の分解斜視図。
【図５】アキュムレータ、圧縮機、熱交換器、電装品ユニットおよびサーミスタの配置を示す図。
【符号の説明】
１　　　　　　空気調和機
３　　　　　　室外機
２４　　　　　熱交換器
２９　　　　　プロペラファン（ファン）
４０　　　　　室外機ケーシング
４２　　　　　前面パネル
４４　　　　　左側面パネル（側面パネル）
４７ｂ　　　　加湿ユニット吹出し口（吹出し口）
５１　　　　　サーミスタ（室外温度検出部）
５３　　　　　電装品ユニット
５８　　　　　吸湿ロータ（吸湿材）
６６　　　　　ヒータ本体（ヒータ）
【図１】
2004053198.tif 000003
【図２】
2004053198.tif 000004
【図３】
2004053198.tif 000005
【図４】
2004053198.tif 000006
【図５】
2004053198.tif 000007